(57)【要約】【課題】  各種袋体を破砕する破袋機の構成を、簡素化して１つの回転軸刃物から構成され、破袋後の引き裂かれた袋破片が絡みつく欠点を解消した構成からなる破袋機をとその駆動方法の提供。【解決手段】  回転軸対して直径方向に一対の刃物（直線状刃物）を配置しかつ回転軸方向に前記可動側刃物を例えば９０度ずらして複数配置するとともに、これら可動側刃物に水平方向から対向する棒材でばね作用を有する棒状キャッチャーを所定間隔で配置し、前記刃物を回転でなく揺動駆動することにより、例えば缶や瓶等を詰めた袋体を効率よく捕捉してこれを破袋し、袋破片が回転軸に絡みつくことなく、袋破片と缶や瓶等との分離が容易にできる。【選択図】        図３
2006061752.tif 000002
【特許請求の範囲】
【請求項１】
矩形枠体からなる破袋室と、破袋室の一方対向壁面間に軸支された回転体表面に回転軸から放射方向に凸設かつ該放射方向が軸方向に所要角度ずれるように複数の板状刃物を凸設した可動側刃物と、破袋室の他方対向壁面より棒材を水平配置する複数の棒状キャッチャーからなる固定側刃物と、回転体を揺動回転駆動する駆動制御手段とを有し、所定間隔で噛合する複数の前記板状刃物と固定側刃物間で袋体を破袋する破袋機。
【請求項２】
矩形枠体からなる破袋室と、破袋室の一方対向壁面間に軸支された回転体表面に回転軸から放射方向に凸設かつ該放射方向が軸方向に所要角度ずれるように複数の板状刃物を凸設した可動側刃物と、破袋室の他方対向壁面より板厚みを水平に凸設配置される複数の板状刃物からなる固定側刃物と、回転体を揺動回転駆動する駆動制御手段とを有し、所定間隔で噛合する可動側と固定側の複数の前記板状刃物間で袋体を破袋する破袋機。
【請求項３】
矩形枠体からなる破袋室と、破袋室の一方対向壁面間に軸支された回転体表面に回転軸から放射方向に凸設かつ該放射方向が軸方向に所要角度ずれるように複数の板状刃物を凸設した可動側刃物と、破袋室の他方対向壁面より水平配置される複数の棒状キャッチャー及び板厚みを水平に凸設配置される複数の板状刃物とを組み合せて配置した固定側刃物と、回転体を揺動回転駆動する駆動制御手段とを有し、所定間隔で噛合する可動側と固定側の複数の前記板状刃物間あるいは板状刃物と棒状キャッチャー間で袋体を破袋する破袋機。
【請求項４】
棒状キャッチャーは、水平配置の棒材が大きなたわみと高い復元力を発揮するばね機構を有する請求項１又は請求項３に記載の破袋機。
【請求項５】
固定側刃物の板状刃物は、鋭角な刃先部を有する請求項２又は請求項３に記載の破袋機。
【請求項６】
固定側刃物は、可動側刃物の回転体上面より下方側に位置し、棒状キャッチャー又は板状刃物がそれぞれ垂直方向に所定間隔で複数段配置される請求項１、請求項２又は請求項３に記載の破袋機。
【請求項７】
固定側刃物は、その全部又は一部を当該刃物を保持する壁面ごとあるいは刃物の保持部ごと破袋室外へ待避可能にした請求項２又は請求項３に記載の破袋機。
【請求項８】
請求項１、請求項２又は請求項３に記載の破袋機において、駆動制御手段は、回転駆動源に負荷センサを有し、過大負荷時に回転体の駆動を停止させ、通常操業時、可動側刃物を水平基準点から一方向に所要角度回転した後、反対方向に前記所要角度回転させる正・逆転パターンを１単位とし、正・逆転の揺動角度を該単位ごとに変化させた複数の正・逆転パターンを繰り返す駆動を行い袋体を破袋する破袋機の駆動方法。
【請求項９】
駆動制御手段への指示又は負荷センサが感知する負荷量に応じて、回転体を揺動回転駆動する速度（可動側刃物の周速度）を変化させて、袋体の破袋処理量を増減させる請求項８に記載の破袋機の駆動方法。
【請求項１０】
駆動制御手段への指示又は負荷センサが感知する負荷量に応じて、正・逆転パターンの揺動角度を予め設定された角度に変更し、揺動角度が異なる正・逆転パターンの組合せを繰り返す駆動を行う請求項８に記載の破袋機の駆動方法。
【発明の詳細な説明】
【技術分野】
【０００１】
この発明は、例えば家庭ごみや産業廃棄物として各種袋体に詰められて、廃棄物処理場に収集される混合ごみを、可燃性ごみと資源ごみの種類別に分別回収、あるいは袋詰めの瓶、アルミ缶、スチール缶、プラスチック容器などを材料種別で分別回収する際、これらの分離作業の前処理として行われる袋体を破砕して（以下破袋という）収容物を取出し、破砕された袋破片と袋体収容物との分離除去作業を容易にする破袋機とその駆動方法に関する。
【背景技術】
【０００２】
一般家庭や事業所及び公共施設などから排出される大量の袋詰めごみは、効率良く処理するため、まず機械的に袋体を破袋した後、ごみを種類別に分離回収して処理される。袋体を破袋するための破袋機としては、従来、平行に架設され互いに内向きに回転する２つの回転軸の周囲に設けた多数の切り刃で袋を引き裂くものが提案（特許文献１）されていた。
【０００３】
前記従来の破袋機は、切り刃に引き裂かれた袋片が絡みつく欠点があった。この欠点を除くため破袋機の改良が試みられた。その１つとして、平行に架設した２軸の回転軸にそれぞれ複数の円板を対向させ、該円板の周囲には刃部を形成し、かつ複数の三角形状の刃を配設してなり、回転数を違えて互いに逆向きに内向きに回転させるものが提案（特許文献２）された。
【０００４】
この破袋機は、引き裂かれた袋破片が円板に絡みつくのを防止できるが、びんやスチール缶などを収容した袋体を破袋する場合には、固形物が両側円板の刃先間に挟まって故障する恐れがある。しかも、回転軸が２軸必要な上、互いに回転速度を違える必要があり、装置が複雑となる欠点がある。
【０００５】
また、ロータの周面に多数のなぎなた状破袋刃を配置し、該ロータに対向して処理空間を形成する傾斜側板をロータに対設し、かつ該傾斜側板の下部をばねによりロータ側へ付勢した破袋機（特許文献３）、及び支持円筒に多数の切り刃を放射状に配設した円板の複数枚を１つの回転軸に一定間隔で取付けた回転体に傾斜押さえ板を対設し、傾斜押さえ板の下部をばねにより円板側へ付勢した破袋機が提案されている。
【特許文献１】特開２００４−５８０４２号公報
【特許文献２】特開平７−１３８８号公報
【特許文献３】特開平８−８４９３８号公報
【発明の開示】
【発明が解決しようとする課題】
【０００６】
これらの従来の破袋機は、袋体の大きさや内容物の違いにより、傾斜側板や傾斜押さえ板の傾斜角度やばね強さを調節する必要があり、ばね力の設定に手間がかかる。また、切り刃に引き裂かれた袋片が絡みつき易く、処理能力の低下や停止などを誘発し易い欠点がある。
【０００７】
また、切り刃に引き裂かれた袋破片が絡みつく欠点を解消するため改良された従来の２軸の回転軸からなる破袋機は、左右回転軸の回転速度を変えるため装置が複雑でかつコンパクトにできない欠点がある。
【０００８】
さらに、従来の複数の切り刃を放射状に配設した１つの回転軸と、これに対設した押さえ板からなる１軸の回転軸からなる破袋機は、２つの回転軸からなる２軸の破袋機に比べ機構は簡素化できるが、引き裂かれた袋破片が切り刃に絡みつくのを防止できない欠点がある。
【０００９】
この発明は、上述の現状に鑑み、破袋機の構成を簡素化して１つの回転軸から構成され、破袋後の引き裂かれた袋破片が絡みつく欠点を解消した構成からなる破袋機とその駆動方法を提供することを目的としている。
【課題を解決するための手段】
【００１０】
発明者らは、１軸の回転軸を有した構成において、袋体の収容物を種類別あるいは材料種別で分別回収するいずれの場合であっても、袋体を捕捉しそれを効率よく破袋して破袋後の袋破片と袋の収容物との分離が円滑に行うことが可能な可動刃物等の配置構成を目的に種々検討した結果、回転軸に対して直径方向に一対の刃物（直線状刃物）を配置しかつ回転軸方向に前記可動側刃物を例えば９０度ずらして複数配置するとともに、これら可動側刃物に水平方向から対向する棒材でばね作用を有する棒状キャッチャーを所定間隔で配置し、前記刃物を回転でなく揺動駆動することにより、例えば缶や瓶等をつめた袋体を効率よく破袋し袋破片が回転軸に絡みつくことなく、袋破片と缶や瓶等とを分離できることを知見した。
【００１１】
また、発明者らは、前記構成の破袋機において、棒状キャッチャーに換えて水平方向に固定配置される固定側刃物とすることにより、プラスチック材を詰めた袋体の破袋並びに袋破片とプラスチックとの分離を効率よく実施できることを知見した。
【００１２】
さらに、発明者らは、前記構成の破袋機において、可動側刃物の駆動方法を検討した結果、基本的な動作は右回転と左回転を１パターンとして種々パターンで揺動駆動し、袋体に収容された缶や瓶、プラスチック材などに応じてその揺動角度を換えることで、袋体を効率よく破袋し、かつ袋破片が回転軸に絡みつくことなく、袋破片とごみとを分離できることを知見し、この発明を完成した。
【００１３】
すなわち、この発明は、矩形枠体からなる破袋室と、破袋室の一方対向壁面間に軸支された回転体表面に回転軸から放射方向に凸設かつ該放射方向が軸方向に所要角度ずれるように複数の板状刃物を凸設した可動側刃物と、破袋室の他方対向壁面より棒材を水平配置する複数の棒状キャッチャー、または板厚みを水平に凸設配置される複数の板状刃物、あるいは棒状キャッチャーと板状刃物とを組み合せて配置した固定側刃物と、回転体を正転・逆転の揺動駆動する駆動制御手段とを有し、所定間隔で噛合する可動側と固定側の複数の前記板状刃物間あるいは板状刃物と棒状キャッチャー間で袋体を破袋することを特徴とする破袋機である。
【００１４】
また、この発明は、上述の構成を有する破袋機において、駆動制御手段は、回転駆動源に負荷センサを有し、過大負荷時に回転体の駆動を停止させ、通常操業時、可動側刃物を水平基準点から一方向に所要角度回転した後、反対方向に前記所要角度回転させる正・逆転パターンを１単位とし、正・逆転の揺動角度を該単位ごとに変化させた複数の正・逆転パターンを繰り返す駆動を行い袋体を破袋することを特徴とする破袋機の駆動方法である。
【発明の効果】
【００１５】
この発明によると、破袋室の中央に１つの刃物回転体とその回転軸方向の両側に設けた棒状キャッチャー又は固定刃物群とから構成され、機構が簡素化され、かつ前記回転体を正転・逆転させる揺動駆動とすることにより、破袋室へ投下される袋体を確実に捕捉し、可動側刃物の両側に形成した各破袋空間で交互にかつ連続して効率よく破袋することができる。
【００１６】
また、この発明によると、破袋室上方のホッパー内に積み上げられた袋体は回転体が揺動する際に可動側刃物により押し上げられるため、袋体のブリッジ現象の発生を防止することができ、１つの回転体を揺動させる構成によって、破袋後の袋破片が回転体、棒状キャッチャー、固定側刃物に絡みつくことがない。
【００１７】
さらに、この発明によると、揺動駆動される可動側刃物と弾性を有する棒状キャッチャーを組み合せた構成により、缶やびんなどの固形物を収容した袋体を、該固形物を破壊することなく破袋でき、揺動駆動される可動側刃物と固定刃物を組み合せた構成では、廃プラスチック材を収納した柔軟な袋体を可動側と固定側の刃物の協同により効率良く破袋できる。
【発明を実施するための最良の形態】
【００１８】
この発明による破袋機は、矩形枠体からなる破袋室内に、回転体表面より放射方向に凸設かつ該放射方向が軸方向に所要角度ずれるよう配置した複数の板状刃物を有する可動側刃物を水平に軸支し、これを種々の正・逆転パターンで揺動回転駆動して、破袋室の壁面より水平配置されるばね機構を有する複数の棒状キャッチャーあるいは鋭角な刃先部を有する板状刃物からなる固定側刃物との間に袋体を捕捉してこれを破袋することを特徴とする。
【００１９】
この発明による破袋機の構成並びに駆動方法を、図面に基づいて詳述する。図１は破袋機の回転体の軸端側から見る側面説明図、図２は回転体の長手軸方向の正面説明図である。
【００２０】
破袋機１は、矩形枠体で形成した破袋室２を本体となし、破袋室２の上面にホッパー３を設け、破袋室２の一方対向壁面間に回転体１０が水平配置されてホッパー３の傾斜面から垂下するブラケット４に軸支されて回転自在となり、また、破袋室２の他方対向壁面に固定側刃物を設け、ホッパー３より投下された袋体は破袋室２で破袋後に破袋室２の開口底面の排出口５より排出される構成からなる。
【００２１】
可動側刃物１０は、回転体１１の一直径方向に刃物先端部が揃う構成の板状刃物１２を、回転体１１軸方向に所定間隔で配置し、刃物先端部が９０度ずつずれるようにしてある。回転体１１は図示しない電動機などで揺動回転駆動される。なお、板状刃物１２の形状や枚数、回転体１１の軸方向の配置間隔や刃先の放射角度等は、袋体とその収納物種等に応じて適宜選定される。
【００２２】
固定側刃物２０には、対向壁面から水平突出する複数の棒状キャッチャー２１を採用してある。棒状キャッチャー２１は、ばね鋼の棒材の終端部をコイル２２にして箱体２３に収めて他方の棒材先端側を破袋室２内に水平に侵入配置する構成で、箱体２３はホッパー３の傾斜面から垂下するブラケット６と破袋室２の外壁に設けるブラケット７に支持される。
【００２３】
かかる構成からなる破袋機１の作用を説明すると、まず図３Ａに示すように、大容量ホッパー３の場合は、袋体がショベルローダー等で投入され、ホッパー３内に積み上げられることになり、この際、ホッパー３内で袋体のブリッジが発生することになるが、揺動回転駆動される可動側刃物１０によりワークたる袋体を上方向に押し上げる作用が働き、該ブリッジを防止することができる。
【００２４】
破袋機１の破袋作用は、図３Ｂ、Ｃに示すように、基本的に袋体は可動側刃物１０に押されて複数の棒状キャッチャー２１に捕られ引き裂き破壊される。例えば、可動側刃物１０は、右に９０度、左に９０度のパターン１と右に１８０度、左に１８０度のパターン２を交互に繰り返すとすると、パターン１では右回転で袋を捕捉し、左回転で引き裂くことができ、またパターン２では左右とも回転することにより、袋体を押し切り破壊することができ、連続運転される際、かかる引き裂き、押し切りによる破袋が交互にあるいは同時に進行する。
【００２５】
破袋機１の処理量は、基本的に可動側刃物１０の運転周速により決定され、例えばギヤードモータ１台で回転体１１を駆動しインバータにより速度制御を行なうことで、処理ワークに合わせた速度設定が可能となる。また。破袋率は基本的に棒状キャッチャー２１の配列で決定され、袋体の内容物に小袋が多い場合は、これらが破袋されずにすり抜けることがないように、さらに棒状キャッチャー２１の列数並びに段数等の詳細な調整が必要となる。
【００２６】
すなわち、棒状キャッチャー２１による破袋抵抗の付与方式は、元位置への復元力を有する棒状キャッチャー２１を可動側刃物１０の幅（軸）方向に多数並べ、しかも落下方向に複数列配置することによって、板状刃物１２で送り込まれた袋体は、この棒状キャッチャー２１に当たったり接触して停止あるいは減速されるが、板状刃物１２が袋体を破袋するかあるいはさらに押し進める。
【００２７】
この際、袋体は棒状キャッチャー２１を元位置へ戻そうとする復元力に抗してこれを撓ませて通過しようとするが、その過程において棒状キャッチャー２１先端が袋体に突き刺さり、これを捕捉することができる。要するに棒状キヤッチャー２１は、可動側刃物１０の幅（軸）方向に多数並んでおり、それぞれが個別に元位置への復元力を有するため、種々の袋体の不規則な外形に倣って、そのいずれかの場所に突き刺さることが可能になる。
【００２８】
従って、棒状キャッチャー２１は、空き缶や瓶類あるいはペットボトルなどを収容した袋体の破袋を予定するもので、特に空き缶や瓶類を収容した袋体の場合は、一般に大きな剛体異物の混入が多いため、棒状キャッチャー２１が撓んでワークを流して行くことができ、容易には装置が停止しない利点がある。
【００２９】
次に固定側刃物２０に、鋭利な刃先を有する板状刃物２４を採用した構成を説明する。図４は破袋機の回転体の軸端側から見る側面説明図、図５は回転体の長手軸方向の正面説明図である。
【００３０】
基本構造は、図１と図２に示すように、破袋機１は、破袋室２を本体として上面にホッパー３を設け、破袋室２内に回転体１０を水平配置し、回転体１１の表面に放射状に板状刃物１２を設けて可動側刃物１０となした構成は全く同様であって、固定側刃物２０に板状刃物２４を採用したことが異なる。
【００３１】
板状刃物２４は、図４と図５に示すように、板厚みを水平、板幅方向を垂直、鋭角な刃先先端を破袋室２内に侵入させるように、破袋室２の外壁上端に軸支するシャフト９に上端部を固着て垂下した短冊状のブラケット８に止着した構成からなり、ここでは、破袋室２内の上下方向に３段、回転体１１の軸方向に２枚、１枚と交互に配置して固定側刃物２０を構成する。
【００３２】
かかる板状刃物２４を採用した構成からなる破袋機１の作用を説明すると、図４Ａに示すように、揺動回転駆動される可動側刃物１０によりワークたる袋体を上方向に押し上げる作用が働き、該ホッパー３内で袋体のブリッジを防止することができる。
【００３３】
破袋機１の破袋作用は、図４Ｂ、Ｃに示すように、基本的に袋体は可動側刃物１０に押されて複数の板状刃物２４に捕られ引き裂き破壊される。例えば可動側刃物１０は、右に１８０度、左に１８０度のパターン１と右に３６０度、左に３６０度のパターン２を交互に繰り返すとすると、パターン１では右回転で袋を捕捉し、左回転で引き裂くことができ、またパターン２では左右とも回転することにより、袋を押し切り破壊することができ、連続運転される際、かかる引き裂き、押し切りによる破袋が交互にあるいは同時に進行する。
【００３４】
かかる板状刃物２４を採用することで、廃プラスチックなどが収容された袋体に対して、効率よく破袋することができる。すなわち、廃プラスチックなどが収容された袋体は、軽く剛体異物の混入が少ないことから、棒状キャッチャーでは両者が撓み合うことで捕捉できなくなる場合があるが、板状刃物２４は固定されかつ鋭角な刃先を有し、上述のようなパターンで可動側刃物１０を揺動駆動すると、効率よく袋体を捉えて容易に破袋することができる。
【００３５】
また、図７に示すごとく、板状刃物２４を採用した固定側刃物２０は、複数の板状刃物２４を格子状のブラケット８に止着しており、破袋室２の外壁上端に軸支するシャフト９をダンパーユニット３０で大きな荷重がかかった際に回動可能にすることで、板状刃物２４群を破袋室２より待避させることができる。すなわち、廃プラスチックなどが収容された袋体では、処理ワークが不燃物なので大きな異物が投入されることが予想され、これらによって装置の停止が頻発することがないようにメンテナンスが容易になる。
【００３６】
この発明の破袋機において、駆動制御手段には、例えば回転駆動源に負荷センサを設けて、大きな異物などにより過大負荷となった際に、回転体の駆動を停止させたり、これを反転させて排出するなどの制御を行うと良い。また、通常操業時には、前述のように、可動側刃物を水平基準点から一方向に所要角度回転した後、反対方向に前記所要角度回転させる正・逆転パターンを１単位とし、正・逆転の揺動角度を該単位ごとに変化させた複数の正・逆転パターンを繰り返す制御、あるいは複数パターンの組合せを繰り返す制御を行うことができる。
【００３７】
可動側刃物の揺動角度は主として破袋率を向上させるためにタイマーで作動時間を変更することにより角度を変化させられるように設計するとよい。また、周速度については、主として処理量を調整するためにインバータで速度変更できるように設計するとよい。例えば、１時間に３０ｍ3の処理を行う実施例１の装置例では、揺動刃物周速は２４〜４８ｍ／ｍｉｎを想定している。
【００３８】
また、駆動制御手段に、負荷センサが感知する負荷量に応じて、回転体を揺動回転駆動する速度（可動側刃物の周速度）を変化させて、袋体の破袋処理量を増減させたり、負荷センサが感知する負荷量に応じて、正・逆転パターンの揺動角度を予め設定された角度に変更し、揺動角度が異なる正・逆転パターンの組合せを繰り返す駆動を行うなど、想定されるごみ種類と袋体の大きさ並びに処理量などの条件変化の範囲等を想定して、装置の停止や破袋不足が生じることのないようプログラミングすることができる。
【実施例】
【００３９】
実施例１
図８と図９に示す装置は、図１と図２に示す破袋機１を実操業用に組み立てた構成で、破袋機１のホッパー３上部の四隅を４本の支柱４０で支持し、ホッパー３上部に方形の投入口４１を設けてある。すなわち、破袋機１は支柱４０で支持され、破袋室２の排出口５が所要の高さ位置となるように設置し、破袋後のごみを分離処理工程へ搬送するためのベルトコンベアが配設可能となる。
【００４０】
前記破袋機１の回転体１１軸は、一端が減速機４２を介して駆動用インバータモータ４３に接続されている。そして制御盤４４に予め設定されている正転・逆転の揺動角の選定、該インバータによる回動速度の制御、運転の始動・停止などの操作を行得るように構成されている。
【００４１】
飲料缶、飲料びんが収容されている袋体を想定した棒状キャッチャーを備えた前記破袋機１は、可動側刃物の揺動駆動パターンに、右に９０度、左に９０度のパターン１と右に１８０度、左に１８０度のパターン２を交互に繰り返す制御を行い、また、インバータモータ４３により速度制御を行い、刃物周速が２４〜４８ｍ／分となるようにしたところ、平均３０ｍ3／ｈｒの処理能力を有することが分かった。これは後述する計算例とも一致した。
【００４２】
なお、袋体の処理量と破袋率との関係は、処理量を増やそうとすると袋を破らずに流してしまい、逆に袋を破ろうとすると破袋時間が長くなり互いに逆の関係にある。実施例１の破袋機では、３０ｍ3／ｈ以下の処理量で運転すれば破袋率１００％であったが、処理量を４０ｍ3／ｈの場合には破袋率は９０％となり、さらに処理量を５０ｍ3／ｈに上げれば破袋率は８０％に下がることを確認した。
【００４３】
ごみ組成を、飲料缶、飲料びん、ペットポトルと想定し、見掛比重Ｘ＝０．０５９ｔ／ｍ3の袋体を最大処理重量Ｗ＝１．３８ｔｏｎ／ｈ、最大処理容積Ｑ＝Ｗ×（１÷Ｘ）＝２３．４ｍ3／ｈの条件で処理できる破袋機の能力計算の一例として、刃物回転体の揺動刃物の諸元、揺動刃物の切出量、揺動物の駆動用モータの計算例を示す。
【００４４】
可動側刃物の板状刃物の諸元は、
外形：Ｄ＝０．９ｍ、              芯径：ｄ＝０．３５５ｍ、
刃物列数：Ｍ＝７列、            最大回転数：Ｎ＝１６．９Ｒ／Ｍ、
刃物ピッチ：Ｐ＝０．２ｍ、        実験係数：Ｋ＝０．１２、
破袋係数：Ｔ＝１００、            機械効率：η＝０．９、
破袋効率：μ＝０．８である。
【００４５】
可動側刃物の切出量は、
Ｑ＝（Ｄ−ｄ）÷２×Ｐ×Ｍ×Ｎ×Ｋ×６０＝４６．４２（ｍ3／ｈ）＞２３．４（ｍ3／ｈ）、
駆動用インバーターモータ出力は、
Ｋｗ＝（Ｔ×Ｎ）÷（９７４η）×（Ｍ÷μ）×Ｋ＝２．０２Ｋｗ、故に、２．２Ｋｗを選定する。
【００４６】
実施例２
図８と図９に示す装置の破袋機１に図４、５の構成を採用し組み立てた構成となし、プラスチック類を収容した袋体を想定して、右に１８０度、左に１８０度のパターン１と右に３６０度、左に３６０度のパターン２を交互に繰り返す揺動駆動制御をおこない、可動側刃物の周速度が３５〜７０ｍ／分となるように駆動用インバーターモータ出力を選定したところ、平均６０ｍ3／ｈｒの処理能力を有することが分かった。
【産業上の利用可能性】
【００４７】
この発明によると、破袋室の中央に１つの刃物回転体とその回転軸方向の両側に設けた棒状キャッチャー又は固定刃物群とから構成され、機構が簡素化され、かつ前記回転体を正転・逆転させる揺動駆動とすることにより、破袋室へ投下される袋体を確実に捕捉し、可動側刃物の両側に形成した各破袋空間で交互にかつ連続して効率よく破袋することができる。
【００４８】
また、この発明によると、破袋室上方のホッパー内に積み上げられた袋体は回転体が揺動する際に可動側刃物により押し上げられるため、袋体のブリッジ現象の発生を防止することができ、１つの回転体を揺動させる構成によって、破袋後の袋破片が回転体、棒状キャッチャー、固定側刃物に絡みつくことがない。
【図面の簡単な説明】
【００４９】
【図１】この発明による破袋機の回転体の軸端側から見る側面説明図である。
【図２】この発明による破袋機の回転体の長手軸方向の正面説明図である。
【図３】Ａ〜Ｃはこの発明による破袋機の袋体の破袋機能を説明する説明図である。
【図４】この発明による他の破袋機の回転体の軸端側から見る側面説明図である。
【図５】この発明による他の破袋機の回転体の長手軸方向の正面説明図である。
【図６】Ａ〜Ｃはこの発明による他の破袋機の袋体の破袋機能を説明する説明図である。
【図７】この発明による他の破袋機の回転体の軸端側から見る側面説明図である。
【図８】実施例１の破袋機の回転体の長手軸方向の正面説明図である。
【図９】実施例１の破袋機の回転体の軸端側から見る側面説明図である。
【符号の説明】
【００５０】
１  破袋機
２  破袋室
３  ホッパー
４，６，７，８  ブラケット
５  排出口
９  シャフト
１０  可動側刃物
１１  回転体
１２，２４  板状刃物
２０  固定側刃物
２１  棒状キャッチャー
２２  コイル
２３  箱体
３０  ダンパーユニット
４０  支柱
４１  投入口
４２  減速機
４３  インバータモータ
４４  制御盤
【図１】
2006061752.tif 000003
【図２】
2006061752.tif 000004
【図３】
2006061752.tif 000005
【図４】
2006061752.tif 000006
【図５】
2006061752.tif 000007
【図６】
2006061752.tif 000008
【図７】
2006061752.tif 000009
【図８】
2006061752.tif 000010
【図９】
2006061752.tif 000011